【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、
複数のコーディングモードのうちのコーディングモードの第1のセット内の各コーディングモードが、コーディングモードの前記第1のセット内の各コーディングモードが複数のサブストリームのうちの1つのための最大シンタックス要素サイズよりも大きいシンタックス要素サイズを生成するとの判断に基づいて、ビデオデータのブロックを符号化するために使用可能ではないと判断するステップであって、前記最大シンタックス要素サイズは、ビデオデータの前記ブロックのための単一成分相当の圧縮データの最大可能サイズを指す、ステップと、
前記複数のコーディングモードのうちのコーディングモードの第2のセット内の各コーディングモードが、コーディングモードの前記第2のセット内の各コーディングモードが前記複数のサブストリームのすべてのための前記最大シンタックス要素サイズ以下のシンタックス要素サイズを生成するとの判断に基づいて、ビデオデータの前記ブロックを符号化するために使用可能であると判断するステップと、
コーディングモードの前記第2のセットの中から、ビデオデータのブロックを符号化するためのコーディングモードを決定するステップと、
ビデオデータの複数の符号化サブストリームを作成するために、前記決定されたコーディングモードに従って前記複数のサブストリームにおいてビデオデータの前記ブロックを符号化するステップであって、ビデオデータの前記複数の符号化サブストリームを作成するために、前記決定されたコーディングモードに従って前記複数のサブストリームにおいてビデオデータの前記ブロックを符号化するステップは、前記決定されたコーディングモードに基づいて前記複数のサブストリームのうちの第1のサブストリームにおいてヘッダ情報を符号化するステップであって、前記ヘッダ情報は、前記決定されたコーディングモードまたは前記ブロックの平坦度のうちの少なくとも1つを示す、ステップと、前記複数のサブストリームのうちの第2のサブストリームにおいてビデオデータの前記ブロックのサンプルのルミナンス色成分を符号化するステップと、前記複数のサブストリームのうちの第3のサブストリームにおいてビデオデータの前記ブロックの前記サンプルの第1のクロミナンス成分を符号化するステップと、前記複数のサブストリームのうちの第4のサブストリームにおいてビデオデータの前記ブロックの前記サンプルの第2のクロミナンス成分を符号化するステップとを含む、ステップと、
ビデオデータの前記複数の符号化サブストリームをそれぞれの平衡先入れ先出し(FIFO)バッファに記憶するステップと、
前記複数の符号化サブストリームを、ビデオデコーダに送信するためにビットストリームにおいて多重化するステップと
を含む方法。
【請求項２】
前記最大シンタックス要素サイズを事前構成するステップ
をさらに含む、請求項1に記載の方法。
【請求項３】
一定のビットレートで前記ビデオデコーダに前記複数の符号化サブストリームをシグナリングするステップ
をさらに含む、請求項1に記載の方法。
【請求項４】
BPモードに関して、前記決定されたコーディングモードに基づいて前記第1のサブストリームにおいてコーディングモード情報を符号化するステップであって、前記コーディングモード情報は、前記コーディングモードに関するテーブル、少なくとも1つのブロック予測ベクトル、または少なくとも1つのインデックスのうちの少なくとも1つを備える、ステップ
をさらに含む、請求項1に記載の方法。
【請求項５】
前記第1のサブストリーム、前記第2のサブストリーム、前記第3のサブストリーム、および前記第4のサブストリームの間で、前記ルミナンス色成分に関連するエントロピーコーディンググループを分散するステップ
をさらに含む、請求項1に記載の方法。
【請求項６】
前記第1のサブストリーム、前記第2のサブストリーム、前記第3のサブストリーム、および前記第4のサブストリームの間で、前記第1のクロミナンス成分または前記第2のクロミナンス成分のうちの1つに関連するエントロピーコーディンググループを分散するステップ
をさらに含む、請求項1に記載の方法。
【請求項７】
前記ビデオデコーダのデマルチプレクサモデルに基づいて、それぞれの平衡FIFOバッファのアンダーフローを防止するために、前記それぞれの平衡FIFOバッファをパディングするステップ
をさらに含む、請求項1に記載の方法。
【請求項８】
レートバッファのアンダーフローを防止するために、ビデオデータの前記複数の符号化サブストリームのうちの1つまたは複数をパディングするステップ
をさらに含む、請求項1に記載の方法。
【請求項９】
ビデオデータを符号化するように構成された装置であって、
ビデオデータのブロックを記憶するように構成されたメモリと、
前記メモリと通信する1つまたは複数のプロセッサと
を備え、前記1つまたは複数のプロセッサは、
複数のコーディングモードのうちのコーディングモードの第1のセット内の各コーディングモードが、コーディングモードの前記第1のセット内の各コーディングモードが複数のサブストリームのうちの1つのための最大シンタックス要素サイズよりも大きいシンタックス要素サイズを生成するとの判断に基づいて、ビデオデータのブロックを符号化するために使用可能ではないと判断することであって、前記最大シンタックス要素サイズは、ビデオデータの前記ブロックのための単一成分相当の圧縮データの最大可能サイズを指す、判断することと、
前記複数のコーディングモードのうちのコーディングモードの第2のセット内の各コーディングモードが、コーディングモードの前記第2のセット内の各コーディングモードが前記複数のサブストリームのすべてのための前記最大シンタックス要素サイズ以下のシンタックス要素サイズを生成するとの判断に基づいて、ビデオデータの前記ブロックを符号化するために使用可能であると判断することと、
コーディングモードの前記第2のセットの中から、ビデオデータの前記ブロックを符号化するためのコーディングモードを決定することと、
ビデオデータの複数の符号化サブストリームを作成するために、前記決定されたコーディングモードに従って前記複数のサブストリームにおいてビデオデータの前記ブロックを符号化することであって、ビデオデータの前記複数の符号化サブストリームを作成するために、前記決定されたコーディングモードに従って前記複数のサブストリームにおいてビデオデータの前記ブロックを符号化するために、前記1つまたは複数のプロセッサは、前記決定されたコーディングモードに基づいて前記複数のサブストリームのうちの第1のサブストリームにおいてヘッダ情報を符号化することであって、前記ヘッダ情報は、前記決定されたコーディングモードまたは前記ブロックの平坦度のうちの少なくとも1つを示す、符号化することと、前記複数のサブストリームのうちの第2のサブストリームにおいてビデオデータの前記ブロックのサンプルのルミナンス色成分を符号化することと、前記複数のサブストリームのうちの第3のサブストリームにおいてビデオデータの前記ブロックの前記サンプルの第1のクロミナンス成分を符号化することと、前記複数のサブストリームのうちの第4のサブストリームにおいてビデオデータの前記ブロックの前記サンプルの第2のクロミナンス成分を符号化することとを行うようにさらに構成される、ことと、
ビデオデータの前記複数の符号化サブストリームをそれぞれの平衡先入れ先出し(FIFO)バッファに記憶することと、
前記複数の符号化サブストリームを、ビデオデコーダに送信するためにビットストリームにおいて多重化することと
を行うように構成される、装置。
【請求項１０】
前記1つまたは複数のプロセッサは、前記最大シンタックス要素サイズにより事前構成される、請求項9に記載の装置。
【請求項１１】
前記1つまたは複数のプロセッサは、
一定のビットレートで前記ビデオデコーダに前記複数の符号化サブストリームをシグナリングする
ようにさらに構成される、請求項9に記載の装置。
【請求項１２】
前記1つまたは複数のプロセッサは、
BPモードに関して、前記決定されたコーディングモードに基づいて前記第1のサブストリームにおいてコーディングモード情報を符号化することであって、前記コーディングモード情報は、前記コーディングモードに関するテーブル、少なくとも1つのブロック予測ベクトル、または少なくとも1つのインデックスのうちの少なくとも1つを備える、符号化すること
を行うようにさらに構成される、請求項9に記載の装置。
【請求項１３】
前記1つまたは複数のプロセッサは、
前記第1のサブストリーム、前記第2のサブストリーム、前記第3のサブストリーム、および前記第4のサブストリームの間で、前記ルミナンス色成分に関連するエントロピーコーディンググループを分散する
ようにさらに構成される、請求項9に記載の装置。
【請求項１４】
前記1つまたは複数のプロセッサは、
前記第1のサブストリーム、前記第2のサブストリーム、前記第3のサブストリーム、および前記第4のサブストリームの間で、前記第1のクロミナンス成分または前記第2のクロミナンス成分のうちの1つに関連するエントロピーコーディンググループを分散する
ようにさらに構成される、請求項9に記載の装置。
【請求項１５】
前記1つまたは複数のプロセッサは、
前記ビデオデコーダのデマルチプレクサモデルに基づいて、それぞれの平衡FIFOバッファのアンダーフローを防止するために、前記それぞれの平衡FIFOバッファをパディングする
ようにさらに構成される、請求項9に記載の装置。
【請求項１６】
前記1つまたは複数のプロセッサは、
レートバッファのアンダーフローを防止するために、ビデオデータの前記複数の符号化サブストリームのうちの1つまたは複数をパディングする
ようにさらに構成される、請求項9に記載の装置。
【請求項１７】
ビデオデータを符号化するように構成された装置であって、
複数のコーディングモードのうちのコーディングモードの第1のセット内の各コーディングモードが、コーディングモードの前記第1のセット内の各コーディングモードが複数のサブストリームのうちの1つのための最大シンタックス要素サイズよりも大きいシンタックス要素サイズを生成するとの判断に基づいて、ビデオデータのブロックを符号化するために使用可能ではないと判断するための手段であって、前記最大シンタックス要素サイズは、ビデオデータの前記ブロックのための単一成分相当の圧縮データの最大可能サイズを指す、手段と、
前記複数のコーディングモードのうちのコーディングモードの第2のセット内の各コーディングモードが、コーディングモードの前記第2のセット内の各コーディングモードが前記複数のサブストリームのすべてのための前記最大シンタックス要素サイズ以下のシンタックス要素サイズを生成するとの判断に基づいて、ビデオデータの前記ブロックを符号化するために使用可能であると判断するための手段と、
コーディングモードの前記第2のセットの中から、ビデオデータのブロックを符号化するためのコーディングモードを決定するための手段と、
ビデオデータの複数の符号化サブストリームを作成するために、前記決定されたコーディングモードに従って前記複数のサブストリームにおいてビデオデータの前記ブロックを符号化するための手段であって、ビデオデータの前記複数の符号化サブストリームを作成するために、前記決定されたコーディングモードに従って前記複数のサブストリームにおいてビデオデータの前記ブロックを符号化するための前記手段は、前記決定されたコーディングモードに基づいて前記複数のサブストリームのうちの第1のサブストリームにおいてヘッダ情報を符号化するための手段であって、前記ヘッダ情報は、前記決定されたコーディングモードまたは前記ブロックの平坦度のうちの少なくとも1つを示す、手段と、前記複数のサブストリームのうちの第2のサブストリームにおいてビデオデータの前記ブロックのサンプルのルミナンス色成分を符号化するための手段と、前記複数のサブストリームのうちの第3のサブストリームにおいてビデオデータの前記ブロックの前記サンプルの第1のクロミナンス成分を符号化するための手段と、前記複数のサブストリームのうちの第4のサブストリームにおいてビデオデータの前記ブロックの前記サンプルの第2のクロミナンス成分を符号化するための手段とを含む、手段と、
ビデオデータの前記複数の符号化サブストリームをそれぞれの平衡先入れ先出し(FIFO)バッファに記憶するための手段と、
前記複数の符号化サブストリームを、ビデオデコーダに送信するためにビットストリームにおいて多重化するための手段と
を含む装置。
【請求項１８】
前記最大シンタックス要素サイズにより事前構成される、請求項17に記載の装置。
【請求項１９】
一定のビットレートで前記ビデオデコーダに前記複数の符号化サブストリームをシグナリングするための手段
をさらに含む、請求項17に記載の装置。
【請求項２０】
BPモードに関して、前記決定されたコーディングモードに基づいて前記第1のサブストリームにおいてコーディングモード情報を符号化するための手段であって、前記コーディングモード情報は、前記コーディングモードに関するテーブル、少なくとも1つのブロック予測ベクトル、または少なくとも1つのインデックスのうちの少なくとも1つを備える、手段
をさらに含む、請求項17に記載の装置。
【請求項２１】
前記第1のサブストリーム、前記第2のサブストリーム、前記第3のサブストリーム、および前記第4のサブストリームの間で、前記ルミナンス色成分に関連するエントロピーコーディンググループを分散するための手段
をさらに含む、請求項17に記載の装置。
【請求項２２】
前記第1のサブストリーム、前記第2のサブストリーム、前記第3のサブストリーム、および前記第4のサブストリームの間で、前記第1のクロミナンス成分または前記第2のクロミナンス成分のうちの1つに関連するエントロピーコーディンググループを分散するための手段
をさらに含む、請求項17に記載の装置。
【請求項２３】
前記ビデオデコーダのデマルチプレクサモデルに基づいて、それぞれの平衡FIFOバッファのアンダーフローを防止するために、前記それぞれの平衡FIFOバッファをパディングするための手段
をさらに含む、請求項17に記載の装置。
【請求項２４】
レートバッファのアンダーフローを防止するために、ビデオデータの前記複数の符号化サブストリームのうちの1つまたは複数をパディングするための手段
をさらに含む、請求項17に記載の装置。
【請求項２５】
実行されたとき、ビデオデータを符号化するように構成された1つまたは複数のプロセッサに、
複数のコーディングモードのうちのコーディングモードの第1のセット内の各コーディングモードが、コーディングモードの前記第1のセット内の各コーディングモードが複数のサブストリームのうちの1つのための最大シンタックス要素サイズよりも大きいシンタックス要素サイズを生成するとの判断に基づいて、ビデオデータのブロックを符号化するために使用可能ではないと判断することであって、前記最大シンタックス要素サイズは、ビデオデータの前記ブロックのための単一成分相当の圧縮データの最大可能サイズを指す、判断することと、
前記複数のコーディングモードのうちのコーディングモードの第2のセット内の各コーディングモードが、コーディングモードの前記第2のセット内の各コーディングモードが前記複数のサブストリームのすべてのための前記最大シンタックス要素サイズ以下のシンタックス要素サイズを生成するとの判断に基づいて、ビデオデータの前記ブロックを符号化するために使用可能であると判断することと、
コーディングモードの前記第2のセットの中から、ビデオデータのブロックを符号化するためのコーディングモードを決定することと、
ビデオデータの複数の符号化サブストリームを作成するために、前記決定されたコーディングモードに従って前記複数のサブストリームにおいてビデオデータの前記ブロックを符号化することであって、ビデオデータの前記複数の符号化サブストリームを作成するために、前記決定されたコーディングモードに従って前記複数のサブストリームにおいてビデオデータの前記ブロックを符号化するために、前記命令は、前記1つまたは複数のプロセッサに、前記決定されたコーディングモードに基づいて前記複数のサブストリームのうちの第1のサブストリームにおいてヘッダ情報を符号化することであって、前記ヘッダ情報は、前記決定されたコーディングモードまたは前記ブロックの平坦度のうちの少なくとも1つを示す、符号化することと、前記複数のサブストリームのうちの第2のサブストリームにおいてビデオデータの前記ブロックのサンプルのルミナンス色成分を符号化することと、前記複数のサブストリームのうちの第3のサブストリームにおいてビデオデータの前記ブロックの前記サンプルの第1のクロミナンス成分を符号化することと、前記複数のサブストリームのうちの第4のサブストリームにおいてビデオデータの前記ブロックの前記サンプルの第2のクロミナンス成分を符号化することとをさらに行わせる、ことと、
ビデオデータの前記複数の符号化サブストリームをそれぞれの平衡先入れ先出し(FIFO)バッファに記憶することと、
前記複数の符号化サブストリームを、ビデオデコーダに送信するためにビットストリームにおいて多重化することと
を行わせる命令を記憶するコンピュータ可読記憶媒体。
【請求項２６】
前記1つまたは複数のプロセッサは、前記最大シンタックス要素サイズにより事前構成される、請求項25に記載のコンピュータ可読記憶媒体。
【請求項２７】
前記命令は、前記1つまたは複数のプロセッサに、
一定のビットレートで前記ビデオデコーダに前記複数の符号化サブストリームをシグナリングすること
をさらに行わせる、請求項25に記載のコンピュータ可読記憶媒体。
【請求項２８】
前記命令は、前記1つまたは複数のプロセッサに、
BPモードに関して、前記決定されたコーディングモードに基づいて前記第1のサブストリームにおいてコーディングモード情報を符号化することであって、前記コーディングモード情報は、前記コーディングモードに関するテーブル、少なくとも1つのブロック予測ベクトル、または少なくとも1つのインデックスのうちの少なくとも1つを備える、符号化すること
をさらに行わせる、請求項25に記載のコンピュータ可読記憶媒体。
【請求項２９】
前記命令は、前記1つまたは複数のプロセッサに、
前記第1のサブストリーム、前記第2のサブストリーム、前記第3のサブストリーム、および前記第4のサブストリームの間で、前記ルミナンス色成分に関連するエントロピーコーディンググループを分散すること
をさらに行わせる、請求項25に記載のコンピュータ可読記憶媒体。
【請求項３０】
前記命令は、前記1つまたは複数のプロセッサに、
前記第1のサブストリーム、前記第2のサブストリーム、前記第3のサブストリーム、および前記第4のサブストリームの間で、前記第1のクロミナンス成分または前記第2のクロミナンス成分のうちの1つに関連するエントロピーコーディンググループを分散すること
をさらに行わせる、請求項25に記載のコンピュータ可読記憶媒体。
【請求項３１】
前記命令は、前記1つまたは複数のプロセッサに、
前記ビデオデコーダのデマルチプレクサモデルに基づいて、それぞれの平衡FIFOバッファのアンダーフローを防止するために、前記それぞれの平衡FIFOバッファをパディングすること
をさらに行わせる、請求項25に記載のコンピュータ可読記憶媒体。
【請求項３２】
前記命令は、前記1つまたは複数のプロセッサに、
レートバッファのアンダーフローを防止するために、ビデオデータの前記複数の符号化サブストリームのうちの1つまたは複数をパディングすること
をさらに行わせる、請求項25に記載のコンピュータ可読記憶媒体。